(57)【要約】【課題】  役所や金融機関などが発送する秘匿性文書の封印作業は、文書を封入した後で糊付けなどして封印し、別に準備した開封防止シールを台紙から剥がして封緘部に貼付する。  この方法ではフラップ内側に糊付け・両面テープ又は口糊付タイプはセパレータ紙を取って封をする。その後別途準備した開封防止シールを台紙から剥がして封緘部に貼付しており、大変な手間である。  本発明は以上の問題を解決する方法を提供する。【解決手段】  フラップ内側に粘着剤を塗布し、次に横幅がフラップを超えない幅で、且つ縦幅がフラップより大きい開封防止シールを表側から貼付する。フラップ内側粘着剤塗布部と開封防止シール粘着部分の面積より大きめのセパレータ紙を貼付して粘着部全体を１枚のセパレータ紙で保護する。使用する場合はこの１枚のセパレータ紙を剥がすことで封印と開封防止シール貼付を同時に完了することが出来ることを特徴とする開封防止シール一体型封筒。【選択図】図３
2015151193.tif 000002
【特許請求の範囲】
【請求項１】
フラップ内側に粘着剤を塗布し、次に横幅がフラップを超えない幅で、且つ縦幅がフラップより大きい開封防止シールを表側から貼付し、さらにフラップ内側粘着剤塗布部と開封防止シールの面積を合わせた面積と同じか少し大きめのセパレータ紙をフラップ内側から貼り付けることでフラップ内側粘着剤塗布部と開封防止シールの両方の粘着剤を１枚のセパレータ紙で保護することが出来るのであるが、使用する場合はこの１枚のセパレータ紙を剥がすことですぐに封印作業と開封防止シールの貼付が同時に完了させることが出来ることを特徴とする開封防止シール一体型封筒。
【発明の詳細な説明】
【技術分野】
【０００１】  本発明は個人情報を含んだ秘匿性書類の入った封書の封印作業を簡素化・迅速化するものであり、開封防止シールを使用した封書の封印作業時間を大幅に短縮することが出来る開封防止シール一体型封筒に関するものである。
【背景技術】
【０００２】  先行技術として、開封防止用・改竄防止用・セキュリテーシールという呼称で販売されているシールがあり、一旦ものに貼付した後剥がすとシールに「開封済」などの文字が表れるなどして再封印することが不可能なものである。
このタイプのシールはすでに一般的な製品であるが、このシールを使用する場合、従来は一旦封書を閉じたのちに、この開封防止シールを別途台紙から剥がして貼付している。
【先行技術文献】
【特許文献】
【０００３】
【特許文献１】  見当たらない。
【発明の概要】
【発明が解決しようとする課題】
【０００４】  銀行・証券会社・生命保険会社などの金融機関や役所が秘匿性重要書類を顧客・市民・住民に対して封書で送付する際の封書封印作業は、従来、文書を封書の中に入れたのちに、口糊付封筒で封印し、別に準備した開封防止シールを台紙から剥がして封緘部に貼っている。
この方法では、まずフラップ部分に糊付けするか両面テープを貼るか口糊付タイプの場合はセパレータ紙を取ってから封をする。その後別途準備した開封防止シールを台紙から剥がして封緘部の上に貼付する。この一連の作業は封書の数が多くなるほどかなりの手間となり、担当者の本来の業務を妨げている。
本発明は以上の問題を解決するものである。
【課題を解決するための手段】
【０００５】  フラップ内側に粘着剤を塗布する。次に横幅がフラップを超えない幅で、且つ縦幅がフラップより大きい開封防止シールを表側から貼付する。
さらにフラップ内側の粘着剤塗布部と開封防止シールの面積を合わせた面積と同じか少し大きめのセパレータ紙をフラップ内側から貼り付けることでフラップ内側粘着剤塗布部と開封防止シールの両方の粘着剤を１枚のセパレータ紙で保護することが出来る。
使用する場合はこの１枚のセパレータ紙を剥がすことですぐに封印作業と開封防止シールの貼付が同時に完了させることが出来る。
以上を特徴とする開封防止シール一体型封筒である。
【発明の効果】
【０００６】  封書送付の際の封印作業が、フラップ内側のセパレータ紙除去、封印、開封防止シール剥離、封緘部に貼付という４工程で行なわれていたことが、この発明によりセパレータ紙１枚除去からすぐ封印完了という２工程で完了することになる。
個人情報の含まれた、役所から市民への書類や金融機関から顧客へ書類を封書で送る場合の作業工数を大幅に短縮できる。
また企業間や個人間であっても相手の他の社員や家族に見られたくないような封書を送付する際にこの封筒は便利である。
応用としてその開封防止シールにバーコードで連番を入れた場合、送付先情報と封書番号を紐付けすることで間違いなく送付したことの証拠とすることが出来る。
本発明の方法は海外でも同様の状況と思われるため今後日本国内以外でも広がると考えている。
【図面の簡単な説明】
【０００７】
【図１】普通の封筒の裏側を表すイメージ図
【図２】フラップ内側に糊付けした普通の封筒のイメージ図
【図３】本発明のフラップ部外側から開封防止シールを貼りつけた状態を示すイメージ図
【図４】本発明のフラップ部の糊付け部と開封防止シールの糊部分全体を覆うようにセパレータ紙を貼りつけた時の状態を示すイメージ図
【図５】本発明のセパレータ紙を除去してフラップを折り、封緘した状態を示すイメージ図
【図６】本発明の開封防止シールにバーコード連番や企業・団体名などを印字・印刷した場合のイメージ図
【発明を実施するための形態】
【０００８】  フラップ内側（１）に粘着剤を塗布する。次に横幅がフラップを超えない幅で、且つ縦幅がフラップより大きい開封防止シールを表側から貼付する。
さらにフラップ内側粘着剤塗布部（３）と開封防止シールの面積を合わせた面積と同じか少し大きめのセパレータ紙をフラップ内側（１）面から貼り付けることでフラップ内側粘着剤塗布部と開封防止シールの両方の粘着剤を１枚のセパレータ紙（５）で保護することが出来る。
使用する場合はこの１枚のセパレータ紙（５）を剥がすことですぐに封印作業と開封防止シールの貼付が同時に完了させること出来、完了時は開封防止シール表面（６）のようになる。
以上を特徴とする開封防止シール一体型封筒である。
なお、上記説明のうちフラップ内側に粘着剤を塗布する方式は省略し、フラップ外側の開封防止シールの粘着剤で封書の封印を兼ねるという方式は、封印の目的は達せられ、その上製作コストの減少にもつながると思われるが、内容物の秘匿性度合いにより取り入れるかどうかについては選択しても良いと思われる。
さらに開封防止シールにバーコードで固有の連番などを入れて封印・発送することにより履歴管理や不正の抑止につなげることもできる。もちろん役所名・金融機関名などを印刷するなどして封筒裏側にもデザイン性を持たせることが出来る。
また開封防止シールの代わりに通常の粘着シールを使用することでフラップ全体の胴部への密着性が高まるので秘匿性封書以外の通常の封書封印に利用すると封印の仕上がりが美しくなる。
本発明は以上のような構成である。
【符号の説明】
【０００９】１  フラップ内側
２  胴部
３  フラップ内側糊付部
４  開封防止シール粘着面
５  セパレータ紙
６  開封防止シール表面
７  バーコード連番印字
８  企業・団体名印刷
【図１】
2015151193.tif 000003
【図２】
2015151193.tif 000004
【図３】
2015151193.tif 000005
【図４】
2015151193.tif 000006
【図５】
2015151193.tif 000007
【図６】
2015151193.tif 000008